(57)【要約】【課題】サイド剛性をリニアリティを保ちながら向上させる。【解決手段】サイドウォール部３のカーカス６内側に、最大厚さＴｍを有する中央部分９Ｍからタイヤ半径方向内外に厚さを漸減してのびる断面略三日月状のサイド補強ゴム層９を設ける。サイド補強ゴム層９のゴム硬度は、６０〜１００°、最大厚さＴｍは０．５〜３．０ｍｍ。ビードベースラインＢＬからのサイド補強ゴム層９の外端高さＨａは、トレッド端高さＨ１の０．８５〜１．４０倍の範囲、かつ内端高さＨｂは、リムのフランジ高さＨｆよりも小である。【選択図】図３
2008155658.tif 000002
【特許請求の範囲】
【請求項１】
トレッド部のトレッド面がタイヤ赤道からトレッド端まで凸円弧状に湾曲し、かつ前記トレッド端間のトレッド巾がタイヤ最大巾をなす自動二輪車用タイヤであって、
前記トレッド部からサイドウォール部をへてビード部のビードコアに至るカーカスと、該トレッド部の内部かつ前記カーカスの半径方向外側に配されるベルト層とを具え、
かつ前記サイドウォール部のカーカス内側に、最大厚さを有する中央部分からタイヤ半径方向内外に厚さを漸減してのびる断面略三日月状のサイド補強ゴム層を設けるとともに、
前記サイド補強ゴム層は、ゴム硬度が６０〜１００°の硬質のゴムからなり、かつ前記最大厚さを０．５〜３．０ｍｍ、しかもサイド補強ゴム層の半径方向外端のビードベースラインからの半径方向高さＨａは、前記トレッド端のビードベースラインからの半径方向高さＨ１の０．８５〜１．４０倍の範囲、かつ前記サイド補強ゴム層の半径方向内端のビードベースラインからの半径方向高さＨｂは、リムのフランジ高さＨｆよりも小であることを特徴とする自動二輪車用タイヤ。
【請求項２】
前記サイド補強ゴム層は、前記最大厚さを有する最大厚さ位置を、前記カーカスの最大幅点を中心とした半径方向の巾Ｗｍが２０ｍｍの巾領域に配したことを特徴とする請求項１記載の自動二輪車用タイヤ。
【請求項３】
前記ベルト層は、ベルトコードをタイヤ周方向に対して５°以下の角度で螺旋状に巻回したジョイントレスプライからなることを特徴とする請求項１又は２記載の自動二輪車用タイヤ。
【請求項４】
前記ビードコアは、環状の芯線の周囲に、シース線を螺旋巻きししながら複数回周回させた断面円形状のケーブルビードであることを特徴とする請求項１〜３の何れかに記載の自動二輪車用タイヤ。
【発明の詳細な説明】
【技術分野】
【０００１】
本発明は、大型自動二輪車の後輪として好適であり、サイド剛性を、そのリニアリティを有して向上でき、特に高速走行時の旋回安定性を向上した自動二輪車用タイヤに関する。
【背景技術】
【０００２】
近年、自動二輪車用タイヤにあっては、高速性能を向上させるため、ベルト構造として、コードをタイヤ周方向に対して例えば１５〜３０°の角度で傾斜配列させたカットエンドプライを用い、各コードをプライ間相互で交差させた所謂クロス構造に代え、コードをタイヤ周方向に対して５°以下の角度で螺旋状に巻回したジョイントレスプライを用いた所謂パラレル構造への移行が図られている。これは、前記パラレル構造のものは、周方向の拘束力を高める一方、トレッド曲げ剛性が低く保たれるため、乗り心地性を高く確保でき、しかも路面からの外乱吸収性が良くなり、高速時の直進安定性やウォブルモードの振動抑制に優れた効果を発揮するからである。
【０００３】
しかし前記パラレル構造のものは、ワインディング路をサーキット走行の如く高速走行する場合、サイド剛性が不充分となって旋回安定性に劣るという問題がある。
【０００４】
そこで従来においては、例えば図１０（Ａ）に略示する如く、カーカスａの折返し部ａ２を、カーカス本体部ａ１とベルト層ｂとの間まで高く折り返して狭持させるいわゆる超ＨＴＵ構造（例えば特許文献１参照）、前記カーカス本体部ａ１と折返し部ａ２との間に介在するビードエーペックスゴムｃにおけるゴム硬度の増加、及びその高さや厚さの増加、或いはサイドウォールゴムｄにおけるゴム硬度の増加、及びその厚さの増加等が図られている。
【０００５】
【特許文献１】特開２００５−２４７０６１号公報
【発明の開示】
【発明が解決しようとする課題】
【０００６】
これら手段は、サイドウォール部における曲げ剛性を高め、サイド剛性を上昇しうる。しかし図１０（Ｂ）に概念的に示す如く、サイドウォール部に大きな荷重を受けて曲げ変形が生じる場合の曲げ中立線Ｎが、タイヤ外面側に移行するため、前記カーカス本体部ａ１には圧縮力が作用し、カーカスコードに作用するテンション力を低下させるという結果を招く。そのため、曲げ変形の増加に対してサイド剛性が適正に追従しなくなるなどリニアリティが損なわれ、高速走行時の旋回安定性を充分に向上し得ないという問題がある。
【０００７】
そこで本発明は、カーカスの内側（タイヤ内腔側）に、厚さ及びゴム硬度等を規制したサイド補強ゴム層を設けることを基本として、曲げ変形時にカーカス本体部に作用する圧縮力を減じうるなどカーカスコードのテンション力を維持することが可能となり、サイド剛性をリニアリティを保ちながら向上でき、高速走行時の旋回安定性を向上しうる自動二輪車用タイヤを提供することを目的としている。
【課題を解決するための手段】
【０００８】
前記目的を達成するために、本願請求項１の発明は、トレッド部のトレッド面がタイヤ赤道からトレッド端まで凸円弧状に湾曲し、かつ前記トレッド端間のトレッド巾がタイヤ最大巾をなす自動二輪車用タイヤであって、
前記トレッド部からサイドウォール部をへてビード部のビードコアに至るカーカスと、該トレッド部の内部かつ前記カーカスの半径方向外側に配されるベルト層とを具え、
かつ前記サイドウォール部のカーカス内側に、最大厚さを有する中央部分からタイヤ半径方向内外に厚さを漸減してのびる断面略三日月状のサイド補強ゴム層を設けるとともに、
前記サイド補強ゴム層は、ゴム硬度が６０〜１００°の硬質のゴムからなり、かつ前記最大厚さを０．５〜３．０ｍｍ、しかもサイド補強ゴム層の半径方向外端のビードベースラインからの半径方向高さＨａは、前記トレッド端のビードベースラインからの半径方向高さＨ１の０．８５〜１．４０倍の範囲、かつ前記サイド補強ゴム層の半径方向内端のビードベースラインからの半径方向高さＨｂは、リムのフランジ高さＨｆよりも小であることを特徴としている。
【０００９】
又請求項２の発明では、前記サイド補強ゴム層は、前記最大厚さを有する最大厚さ位置を、前記カーカスの最大幅点を中心とした半径方向の巾Ｗｍが２０ｍｍの巾領域に配したことを特徴としている。
【００１０】
又請求項３の発明では、前記ベルト層は、ベルトコードをタイヤ周方向に対して５°以下の角度で螺旋状に巻回したバンドプライからなることを特徴としている。
【００１１】
又請求項４の発明では、前記ビードコアは、環状の芯線の周囲に、シース線を螺旋巻きししながら複数回周回させた断面円形状のケーブルビードであることを特徴としている。
【００１２】
本明細書では、特に断りがない限り、タイヤの各部の寸法等は、正規リムにリム組みしかつ正規内圧を充填した正規内圧状態で特定される値とする。なお前記「正規リム」とは、タイヤが基づいている規格を含む規格体系において、当該規格がタイヤ毎に定めるリムであり、例えばＪＡＴＭＡであれば標準リム、ＴＲＡであれば "Design Rim" 、或いはＥＴＲＴＯであれば "Measuring Rim"を意味する。前記「正規内圧」とは、前記規格がタイヤ毎に定めている空気圧であり、ＪＡＴＭＡであれば最高空気圧、ＴＲＡであれば表 "TIRE LOAD LIMITS AT VARIOUS COLD INFLATION PRESSURES" に記載の最大値、ＥＴＲＴＯであれば "INFLATION PRESSURE"を意味する。
【００１３】
又ゴム硬度Ｈｓは、ＪＩＳ−Ｋ６２５３に基づきデュロメータータイプＡにより測定したデュロメータＡ硬さである。
【発明の効果】
【００１４】
本発明は叙上の如く、サイドウォール部かつカーカス内側に、硬質かつ断面略三日月状のサイド補強ゴム層を設けることにより、その曲げ中立線をタイヤ内腔側に移行させることができ、曲げ変形時にカーカス本体部に作用する圧縮力を減じうる。そのためカーカスコードのテンション力が維持され、曲げ変形の増加に対してサイド剛性が適正に追従するなど、サイド剛性をリニアリティを保ちながら向上でき、高速走行時の旋回安定性を向上しうる。
【発明を実施するための最良の形態】
【００１５】
以下、本発明の実施の一形態を、図示例とともに説明する。図１は本発明の空気入りタイヤの正規内圧状態を示す断面図、図３はそのサイド補強ゴム層を拡大して示す断面図である。
図１に示すように、本実施形態の自動二輪車用タイヤ１（以下タイヤ１という）は、トレッド面２Ｓが、タイヤ赤道Ｃからトレッド端Ｔｅまで凸円弧状に湾曲してのびるトレッド部２を有し、前記トレッド端Ｔｅ、Ｔｅ間のタイヤ軸方向距離であるトレッド巾ＴＷがタイヤ最大巾ＴＷ０をなすことにより、大きなバンク角での旋回走行を可能としている。
【００１６】
又タイヤ１には、前記トレッド部２からサイドウォール部３をへてビード部４のビードコア５に至るカーカス６と、該トレッド部２の内部かつ前記カーカス６の半径方向外側に配されるベルト層７と、前記サイドウォール部３のカーカス６内側に配される断面略三日月状のサイド補強ゴム層９とが配される。
【００１７】
前記カーカス６は、有機繊維のカーカスコードをタイヤ周方向に対して、７５〜９０°の角度で配列した１枚以上、本例では２枚のカーカスプライ６Ａ、６Ｂから形成される。このカーカスプライ６Ａ、６Ｂは、前記ビードコア５、５間に架け渡されるカーカス本体部６ａの両端に、ビードコア５の廻りでタイヤ軸方向内側から外側に折り返される折返し部６ｂを一連に具える。そして前記カーカス本体部６ａと折返し部６ｂとの間には、前記ビードコア５から半径方向外方に先細状にのびるビード補強用のエーペックスゴム８を配設している。前記エーペックスゴム８のビードベースラインＢＬからの半径方向高さｈａは、前記トレッド端ＴｅのビードベースラインＢＬからの半径方向高さＨ１よりも小であり、本例では前記高さＨ１の３５〜６５％に設定している。
【００１８】
又前記ビードコア５としては、図２（Ａ）に拡大して示すように、環状の芯線１０Ａと、その周囲にシース線１０Ｂ１を螺旋巻きししながら複数回周回させたシース層１０Ｂとからなる断面円形状のケーブルビード１０を使用するのが好ましい。前記芯線１０Ａ、シース線１０Ｂ１として、通常金属ワイヤが使用される。なお要求により、このケーブルビード１０に代え、図２（Ｂ）に示すように、複数本（（通常３〜５本）の金属ワイヤ１１Ａ１を引き揃えてゴム引きした１本のテープ状のストランド１１Ａを複数層に巻き重ねた断面矩形状のテープビード１１を採用することができる。
【００１９】
次に、前記ベルト層７は、本例では、ベルトコードをタイヤ周方向に対して５度以下の角度で螺旋状に巻回した１枚のジョイントレスプライ７Ａからなるパラレル構造をなす。ベルトコードとしては、ナイロン、レーヨン、芳香族ポリアミド等の有機繊維コード、及びスチールコードを採用しうる。このベルト層７は、その全巾に亘って前記カーカス本体部６ａに隣接してのび、その外端７ｅは前記トレッド端Ｔｅを半径方向内方に越えた位置で終端している。なお前記カーカス６の各折返し部６ｂは、前記ベルト層７とは重なることなく、前記ベルト層７の外端７ｅよりも半径方向内方に控えた位置で終端している。
【００２０】
次に、前記サイド補強ゴム層９は、図３に拡大して示すように、前記カーカス本体部６ａのタイヤ内腔側に配される。本例では、カーカス本体部６ａとインナーライナゴム２０との間にサイド補強ゴム層９が形成される場合を例示しているが、前記インナーライナゴム２０の内側、即ちタイヤ内腔面に面してサイド補強ゴム層９を形成することもできる。
【００２１】
このサイド補強ゴム層９は、最大厚さＴｍを有する中央部分９Ｍからタイヤ半径方向内外に厚さを漸減してのびる断面略三日月状をなし、その半径方向外端９ａのビードベースラインＢＬからの半径方向高さＨａは、トレッド端Ｔｅの前記高さＨ１の０．８５〜１．４０倍の範囲、かつ半径方向内端９ｂのビードベースラインＢＬからの半径方向高さＨｂは、リムＲのフランジ高さＨｆよりも小に設定されている。又サイド補強ゴム層９は、ゴム硬度Ｈｓが６０〜１００°の硬質のゴムからなり、かつ前記最大厚さＴｍを０．５〜３．０ｍｍの範囲と、比較的薄く形成している。
【００２２】
このサイド補強ゴム層９は、硬質のゴムによって曲げ剛性を高めるだけでなく、サイドウォール部３に大きな曲げ変形が生じたときの曲げ中立線を、タイヤ内腔側に移行する。そのため、曲げ変形時にカーカス本体部６ａに作用する圧縮力が減じて、カーカスコードに作用するテンション力を維持できる。その結果、カーカス６の機能が適正に発揮され、カーカス６全体の荷重支持能力を高めうるとともに、曲げ変形の増加に対してサイド剛性が適正に追従するなどリニアリティが高まり、高速走行時の旋回安定性を大幅に向上させることが可能となる。
【００２３】
前記ゴム硬度Ｈｓが６０°未満、及び前記最大厚さＴｍを０．５ｍｍ未満では、カーカスコードのテンション力低下を抑えることができず、旋回安定性の向上効果が充分に得られない。又前記ゴム硬度Ｈｓが１００°を上回る場合、及び最大厚さＴｍが３．０ｍｍを上回る場合には、前記旋回安定性の向上効果が頭打ちとなる他、乗り心地性の低下を招き、又特にゴム硬度Ｈｓが１００°を上回る場合、耐久性の低下が懸念される。このような観点から、ゴム硬度Ｈｓは、その下限値を７０°以上、さらには８０°以上とするのが好ましく、又上限値を９５°以下、さらには９０°以下とするのが好ましい。又前記最大厚さＴｍにおいては
その下限値を０．８ｍｍ以上とするのが好ましく、又上限値を２．０ｍｍ以下、さらには１．５ｍｍ以下とするのが好ましい。
【００２４】
又前記サイド補強ゴム層９の最大厚さ位置Ｑは、前記カーカス本体部６ａの最大幅点Ｐｍを中心とした半径方向の巾Ｗｍが２０ｍｍの巾領域Ｙ内に配されることが好ましく、前記巾領域Ｙから外れると、旋回安定性の向上効果が充分に発揮されなくなる。同じ理由で、サイド補強ゴム層９の外端９ａの前記高さＨａを、トレッド端Ｔｅの前記高さＨ１の０．８５〜１．４０倍の範囲、かつサイド補強ゴム層９の内端９ｂの前記高さＨｂを、フランジ高さＨｆよりも小に設定することが必要である。外端高さＨａがトレッド端高さＨ１の０．８５倍未満、及び内端高さＨｂがフランジ高さＨｆ以上であると、サイド補強ゴム層９の補強範囲が過小となって、カーカスコードのテンション力低下を充分に抑えることができず、旋回安定性の向上効果が充分に発揮されなくなる。逆に、外端高さＨａがトレッド端高さＨ１の１．４０倍を越えても、旋回安定性の向上効果の上昇が見込めず、又乗り心地性の低下を招く。従って、前記外端高さＨａはその下限値をトレッド端高さＨ１の０．８５倍以上、又上限値を１．４０倍以下とするのが好ましい。より望ましくは、前記上限値は１．２０倍以下にするのが良い。
【００２５】
なおサイド補強ゴム層９のリムフランジＲｆ上端からの外端高さＨａｆを、トレッド端ＴｅのリムフランジＲｆ上端からのトレッド端高さＨ１ｆの０．７〜１．２倍の範囲とするのも好ましい。
【００２６】
次に、このようなサイド補強ゴム層９によりサイド剛性を高めたタイヤ１では、ベルト層７として、本例の如く、ジョイントレスプライ７Ａを用いたパラレル構造を採用することが好ましい。これは、パラレル構造では、周方向剛性が高い反面、タイヤ軸方向の剛性が低いため、前記サイド剛性を高めたタイヤでは、乗り心地性に劣るという不利があるが、パラレル構造では、周方向剛性が高く転動性能に優れる反面、タイヤ軸方向の剛性が低いため、前記不利をカバーすることができ、乗り心地性を高く確保しうるとともに、路面からの外乱吸収性を高めかつ接地巾を増すなど高速時の直進安定性を向上しうる。又パラレル構造における旋回安定性に劣るという不利に対して、本実施形態のサイド補強ゴム層９がカバーする。このように、双方の特性がマッチングしてお互いの不利をカバーし合うため、乗り心地性、高速時の直進安定性、及び旋回安定性を高レベルで両立させることができる。
【００２７】
又本実施形態のタイヤ１では、ビードコア５として、本例の如くケーブルビード１０を採用することが好ましい。このケーブルビード１０は捻れに対して柔軟であり、高荷重時におけるカーカス本体部６ａの局部な歪みを、ケーブルビード１０自体の捻れ、及びシース線１０Ｂ１の巻き締まりや緩みによって吸収し低減できる。従って、サイド補強ゴム層９による曲げ中立線のタイヤ内腔側への移行効果と相俟って、カーカスコードに作用するテンション力を維持、かつ均一化させることができ、乗り心地性及び旋回安定性のいっそうの向上を図ることが可能となる。
【００２８】
以上、本発明の特に好ましい実施形態について詳述したが、本発明は図示の実施形態に限定されることなく、種々の態様に変形して実施しうる。
【実施例】
【００２９】
図１の構造をなす自動二輪車用タイヤ（１９０／５０Ｒ１７）を表１〜６の仕様にて試作するとともに、各試供タイヤの直進安定性、旋回安定性、乗り心地性をテストし比較した。
各タイヤともカーカスは同仕様であり、カーカスコード（ナイロン、１４００dtex／２）をタイヤ周方向に対して８８°で配列した２枚のカーカスプライ（コード密度４０本／５ｃｍ）を使用し、その折返し構造は図１の如くである。
【００３０】
表１〜７の；
（１）ベルト層において、「クロス構造」は、 ベルトコード（アラミド、１６７０dtex／２）をタイヤ周方向に対して２５°で配列した２枚のカットエンドプライ（コード密度４２本／５ｃｍ）を使用し、「パラレル構造」は、ベルトコード（アラミド、１６７０dtex／２）をタイヤ周方向に沿って螺旋巻きした１枚のジョイントレスプライ（コード密度３５本／５ｃｍ）を使用している：
（２）ビードコアの項の、「テープビード」では、４本の金属ワイヤ（直径０．９７ｍｍの硬鋼線）を引き揃えたストランドを３周巻きした４×４構造のものを使用し、「ケーブルビード」では、芯線（直径１．５ｍｍの硬鋼線）の周囲にシース線（直径１．４ｍｍの硬鋼線）を螺旋巻きししながら６周させたものを使用している。
又トレッド端高さＨ１は、４２ｍｍ、フランジ高さＨｆは１４ｍｍであり、表１〜６では、サイド補強ゴム層の外端高さＨａを５０ｍｍ、サイド補強ゴム層の内端高さＨｂを１０ｍｍで一定している。
【００３１】
＜直進安定性、旋回安定性、乗り心地性＞
試供タイヤを、リム（ＭＴ６．００×１７）、内圧（２９０ｋＰａ）の条件にて大型自動二輪車（１０００ＣＣ）の後輪に装着して、ドライアスファルトのタイヤテストコースを実車走行し、その時の高速走行時の直進安定性、旋回安定性、乗り心地性をドライバーの官能評価により５点法で評価した。指数の大きい方が良好である。なお前輪には、タイヤサイズ１２０／７０Ｒ１７の市販のタイヤを装着している。
【００３２】
【表１】
2008155658.tif 000003
【００３３】
【表２】
2008155658.tif 000004
【００３４】
【表３】
2008155658.tif 000005
【００３５】
【表４】
2008155658.tif 000006
【００３６】
【表５】
2008155658.tif 000007
【００３７】
【表６】
2008155658.tif 000008
【００３８】
【表７】
2008155658.tif 000009
【００３９】
表１〜６におけるテスト結果を、図４〜９に示す。表および図からわかるように、サイド補強ゴム層を設けることで、旋回安定性が大幅に高まり、又直進安定性もある程度向上するものの、タイヤの剛性が過大となると、逆に旋回安定性及び直進安定性が低下する傾向となる。又乗り心地性には不利となる。しかし、サイド補強ゴム層のゴム硬度を６０〜１００°の範囲、かつ最大厚さを０．５〜３．０ｍｍの範囲とすることで、乗り心地性を維持しながら、特に旋回安定性の向上効果を最大限に発揮しうるのが確認できる。
【００４０】
又サイド補強ゴム層の有無に係わらず、ベルト層に「パラレル構造」を採用した場合、「クロス構造」を採用した場合に比して、旋回安定性、直進安定性、及び乗り心地性がそれぞれ向上するのが確認できる。しかし、表１と表３（或いは図４と図６）を比較するように、ベルト層に「クロス構造」を採用した場合（表１、図４）の従来例１に対する実施例の向上効果は、直進安定性で最大０．１ポイント、旋回安定性で最大０．４ポイントであるのに対して、ベルト層に「パラレル構造」を採用した場合（表３、図６）の従来例２に対する実施例の向上効果は、直進安定性で最大０．２ポイント、旋回安定性で最大０．５ポイントに高まる。このことから、サイド補強ゴム層は、「パラレル構造」と組み合わせることで、旋回安定性及び直進安定性に対してより高い向上効果を発揮するのが確認できる。このことは、又表２と表４（或いは図５と図７）の比較によっても確認できる。
【００４１】
又表３と表５（或いは図６と図８）を比較するように、ビードコアに「テープビード」を採用した場合（表３、図６）の従来例２に対する実施例の向上効果は、旋回安定性で最大０．５ポイントであるのに対して、ビードコアに「ケーブルビード」を採用した場合（表５、図８）の従来例３に対する実施例の向上効果は、旋回安定性で最大０．８ポイントに高まる。このことから、サイド補強ゴム層は、「ケーブルビード」と組み合わせることで、旋回安定性に対してより高い向上効果を発揮するのが確認できる。このことは、又表４と表６（或いは図７と図９）の比較によっても確認できる。
【００４２】
このように、サイド補強ゴム層を設けた本願の構造では、パラレル構造のベルト層、及びケーブルビードのビードコアとの組み合わせに相乗効果が見られることが確認できる。
【図面の簡単な説明】
【００４３】
【図１】本発明の自動二輪車用タイヤの一実施例を示す断面図である。
【図２】（Ａ）、（Ｂ）はビードコアの構造を示す断面図である。
【図３】サイド補強ゴム層を拡大して示す断面図である。
【図４】表１のテスト結果を示すグラフである。
【図５】表２のテスト結果を示すグラフである。
【図６】表３のテスト結果を示すグラフである。
【図７】表４のテスト結果を示すグラフである。
【図８】表５のテスト結果を示すグラフである。
【図９】表６のテスト結果を示すグラフである。
【図１０】（Ａ）、（Ｂ）は、背景技術、及びその問題点を説明する断面図である。
【符号の説明】
【００４４】
２     トレッド部
２Ｓ   トレッド面
３     サイドウォール部
４     ビード部
５     ビードコア
６     カーカス
７     ベルト層
９     サイド補強ゴム層
９Ｍ   中央部分
７Ａ   ジョイントレスプライ
１０   ケーブルビード
１０Ａ 芯線
１０Ｂ１      シース線
ＢＬ   ビードベースライン
Ｃ     タイヤ赤道
Ｐｍ   カーカスの最大幅点
Ｑ     最大厚さ位置
Ｔｅ   トレッド端
Ｔｍ   最大厚さ
ＴＷ   トレッド巾
ＴＷ０ タイヤ最大巾
Ｙ     巾領域
【図１】
2008155658.tif 000010
【図２】
2008155658.tif 000011
【図３】
2008155658.tif 000012
【図４】
2008155658.tif 000013
【図５】
2008155658.tif 000014
【図６】
2008155658.tif 000015
【図７】
2008155658.tif 000016
【図８】
2008155658.tif 000017
【図９】
2008155658.tif 000018
【図１０】
2008155658.tif 000019